【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
クライアントからの印刷注文に応じた印刷処理を実行するサーバ印刷装置であって、前記印刷処理に含まれる１以上の処理のいずれかをそれぞれ実行する複数の処理手段と、前記複数の処理手段における処理を管理する管理手段とを備えるサーバ印刷装置において、
前記管理手段は、
前記印刷注文に応じた印刷処理につき前記複数の処理手段の少なくとも１つを利用した実行手順を決定し、前記印刷処理を実行するための実行手順情報を生成する生成手段と、
前記複数の処理手段のそれぞれに固有に与えられる暗号鍵を格納する暗号鍵格納手段と、
前記実行手順情報のうち、前記実行手順で利用される各処理手段に関連する情報を、前記各処理手段に固有の前記暗号鍵を利用して暗号化する暗号処理手段と
を備え、
前記実行手順情報を利用して前記印刷注文に応じた印刷処理を前記各処理手段に実行させることを特徴とするサーバ印刷装置。
【請求項２】
前記管理手段は、
前記各処理手段へ暗号化された処理用データを送信し、前記各処理手段から前記処理データについて処理を行った結果であって暗号化された処理結果を受信する通信手段を更に備え、
前記暗号処理手段は、前記処理用データの暗号化を、前記処理用データを送信する各処理手段に固有の前記暗号鍵により行い、受信した前記処理結果を前記暗号鍵格納手段に格納された対応の復号鍵を利用して復号することを特徴とする請求項１に記載のサーバ印刷装置。
【請求項３】
前記暗号処理手段は、復号された前記処理結果を、前記暗号鍵格納手段に格納された前記暗号鍵のうち、前記実行手順において次の順番に位置する処理手段に固有の暗号鍵を用いて暗号化し、
前記通信手段は、該暗号化の結果を、前記処理用データとして前記次の順番に位置する処理手段に送信することを特徴とする請求項２に記載のサーバ印刷装置。
【請求項４】
前記暗号処理手段が公開鍵暗号方式により前記暗号化を実行する場合に、
前記暗号鍵格納手段に格納された暗号鍵は第１の公開鍵であって、前記第１の公開鍵に対応する第１の秘密鍵を対応する前記処理手段が有し、
前記暗号鍵格納手段は、前記対応する処理手段が有する第２の公開鍵に対応する第２の秘密鍵を更に格納することを特徴とする請求項２又は３に記載のサーバ印刷装置。
【請求項５】
前記暗号処理手段は、
前記処理用データの暗号化を、前記処理用データを送信する処理手段に固有の前記第１の公開鍵を利用して行い、
受信した前記処理結果を前記暗号鍵格納手段に格納された前記第２の秘密鍵を利用して復号することを特徴とする請求項４に記載のサーバ印刷装置。
【請求項６】
前記処理手段は、
前記管理手段より送信された処理用データを、前記第１の秘密鍵を利用して復号し、
復号された処理用データを処理して得られた結果を、前記第２の公開鍵を利用して暗号化して処理結果を生成することを特徴とする請求項４又は５に記載のサーバ印刷装置。
【請求項７】
前記管理手段は、
前記通信手段が送信した前記処理用データの削除命令を前記各処理手段に通知する削除命令通知手段と、
前記削除命令に応じて前記各処理手段の全てにおいて前記処理用データが削除された場合に、削除証明情報を生成する削除証明情報生成手段と
を備えることを特徴とする請求項２乃至６のいずれか１項に記載のサーバ印刷装置。
【請求項８】
前記管理手段は、
前記各処理手段への前記処理用データの送信履歴と、前記削除命令に応じた前記各処理手段における削除履歴とを記録する履歴記録手段を更に備え、
前記削除証明情報生成手段は、前記送信履歴と削除履歴とを利用して前記削除証明情報を生成することを特徴とする請求項７に記載のサーバ印刷装置。
【請求項９】
クライアントからの印刷注文に応じた印刷処理を実行するサーバ印刷装置であって、前記印刷処理に含まれる１以上の処理のいずれかをそれぞれ実行する複数の処理部と、前記複数の処理部における処理を管理する管理部とを備えるサーバ印刷装置の制御方法であって、
前記管理部において、
前記印刷注文に応じた印刷処理につき前記複数の処理部の少なくとも１つを利用した実行手順を決定し、前記印刷処理を実行するための実行手順情報を生成する生成工程と、
前記複数の処理部のそれぞれに固有に与えられる暗号鍵を管理する暗号鍵管理工程と、
前記実行手順情報のうち、前記実行手順で利用される各処理部に関連する情報を、前記各処理部に固有の前記暗号鍵を利用して暗号化する暗号処理工程と
を備え、
前記実行手順情報を利用して前記印刷注文に応じた印刷処理を前記各処理部に実行させることを特徴とするサーバ印刷装置の制御方法。
【請求項１０】
前記管理部では、
前記各処理部へ暗号化された処理用データを送信し、前記各処理部から前記処理データについて処理を行った結果であって暗号化された処理結果を受信する通信工程を更に備え、
前記暗号処理工程では、前記処理用データの暗号化を、前記処理用データを送信する各処理部に固有の暗号鍵により行い、受信した前記処理結果を前記暗号鍵管理工程において管理されている対応の復号鍵を利用して復号することを特徴とする請求項９に記載のサーバ印刷装置の制御方法。
【請求項１１】
前記暗号処理工程では、復号された前記処理結果を、前記暗号鍵管理工程において管理されている前記暗号鍵のうち、前記実行手順において次の順番に位置する処理部に与えられた暗号鍵を用いて暗号化し、
前記通信工程では、該暗号化の結果を、前記処理用データとして前記次の順番に位置する処理部に送信することを特徴とする請求項１０に記載のサーバ印刷装置の制御方法。
【請求項１２】
前記暗号処理工程において公開鍵暗号方式により前記暗号化が実行される場合に、
前記暗号鍵管理工程で管理される暗号鍵は第１の公開鍵であって、前記第１の公開鍵に対応する第１の秘密鍵を対応する前記処理部が有し、
前記暗号鍵管理工程では、前記対応する処理部が有する第２の公開鍵に対応する第２の秘密鍵を更に管理することを特徴とする請求項１０又は１１に記載のサーバ印刷装置の制御方法。
【請求項１３】
前記暗号処理工程では、
前記処理用データの暗号化を、前記処理用データを送信する処理部に固有の前記第１の公開鍵を利用して行い、
受信した前記処理結果を前記暗号鍵管理工程において管理されている前記第２の秘密鍵を利用して復号することを特徴とする請求項１２に記載のサーバ印刷装置の制御方法。
【請求項１４】
前記処理部では、
前記管理部より送信された処理用データを、前記第１の秘密鍵を利用して復号し、
復号された処理用データを処理して得られた結果を、前記第２の公開鍵を利用して暗号化して処理結果を生成することを特徴とする請求項１２又は１３に記載のサーバ印刷装置の制御方法。
【請求項１５】
前記管理部では、
前記通信工程において送信された前記処理用データの削除命令を前記各処理部に通知する削除命令通知工程と、
前記削除命令に応じて前記各処理部の全てにおいて前記処理用データが削除された場合に、削除証明情報を生成する削除証明情報生成工程と
を備えることを特徴とする請求項１０乃至１４のいずれか１項に記載のサーバ印刷装置の制御方法。
【請求項１６】
前記管理部では、
前記各処理部への前記処理用データの送信履歴と、前記削除命令に応じた前記各処理部における削除履歴とを記録する履歴記録工程を更に備え、
前記削除証明情報生成工程では、前記送信履歴と削除履歴とを利用して前記削除証明情報を生成することを特徴とする請求項１５に記載のサーバ印刷装置の制御方法。
【請求項１７】
コンピュータに請求項９乃至１６のいずれか１項に記載のサーバ印刷装置の制御方法を実行させるためのコンピュータプログラム。
【手続補正２】
【補正対象書類名】明細書
【補正対象項目名】００１０
【補正方法】変更
【補正の内容】
【００１０】
クライアントからの印刷注文に応じた印刷処理を実行するサーバ印刷装置であって、前記印刷処理に含まれる１以上の処理のいずれかをそれぞれ実行する複数の処理手段と、前記複数の処理手段における処理を管理する管理手段とを備えるサーバ印刷装置において、前記管理手段は、前記印刷注文に応じた印刷処理につき複数の処理手段のうち少なくとも１つを利用した実行手順を決定し、前記印刷処理を実行するための実行手順情報を生成する生成手段と、前記複数の処理手段のそれぞれに固有に与えられる暗号鍵を格納する暗号鍵格納手段と、前記実行手順情報のうち、前記実行手順で利用される各処理手段に関連する情報を、前記各処理手段に固有の前記暗号鍵を利用して暗号化する暗号処理手段とを備え、前記実行手順情報を利用して前記印刷注文に応じた印刷処理を前記各処理手段に実行させる。